(57)【特許請求の範囲】
【請求項１】
ウェアラブル電子デバイスであって、
プロセッサと、
メモリと、
通信ユニットと、
入力ユニットと
データ処理ユニットとを備え、
前記メモリは、第１のオペレーティングシステムのソフトウェアプログラムおよびモジュールと、第２のオペレーティングシステムのソフトウェアプログラムおよびモジュールとを記憶し、
前記プロセッサは、ユーザにより入力され、かつ、前記入力ユニットにより受信された第１の操作命令に従って、前記第１のオペレーティングシステムを前記第２のオペレーティングシステムに切り換え、
前記通信ユニットは、インテリジェント端末により送信された第１の情報を、前記第２のオペレーティングシステムによりサポートされる第１のアプリケーションを用いることによって受信し、前記第１の情報は、オンライン決済を完了させるための取引データを含み、
前記プロセッサはさらに、前記ユーザにより入力され、かつ、前記入力ユニットにより受信された第２の操作命令に従って、前記通信ユニットにより受信された前記第１の情報が正確であることを決定し、
前記データ処理ユニットは、第２の情報を取得するように、前記プロセッサにより正確であると決定された前記第１の情報に対して、前記第２のオペレーティングシステムを用いることによって暗号化または署名処理を実行し、
前記通信ユニットはさらに、前記第１のアプリケーションを用いることによって、前記データ処理ユニットにより取得された前記第２の情報を前記インテリジェント端末へ送信する、
ウェアラブル電子デバイス。
【請求項２】
前記入力ユニットはさらに、前記ユーザにより入力された前記第２の操作命令を受信し、前記第２の操作命令は、前記第１の情報が正確であることを示すために用いられる、請求項１に記載のウェアラブル電子デバイス。
【請求項３】
前記通信ユニットはさらに、無線アクセスモードで前記インテリジェント端末と通信接続を確立し、
前記プロセッサはさらに、前記インテリジェント端末により送信され、かつ、前記通信ユニットにより受信されたサービス要求命令に従って、前記第２のオペレーティングシステムによりサポートされる前記第１のアプリケーションを実行することを決定し、
前記通信ユニットはさらに、前記第１のアプリケーションが既に実行されていることを示す応答メッセージを、前記インテリジェント端末へ送信する、請求項１または２に記載のウェアラブル電子デバイス。
【請求項４】
前記入力ユニットはさらに、前記ユーザにより入力された前記第１の操作命令を受信し、前記第１の操作命令は、前記第１のオペレーティングシステムを前記第２のオペレーティングシステムに切り換えるよう命令するために用いられる、請求項１から３のいずれか一項に記載のウェアラブル電子デバイス。
【請求項５】
前記第１の操作命令および前記第２の操作命令は、音声命令、指紋命令、またはキーボード命令のうちの任意の一種である、請求項１から４のいずれか一項に記載のウェアラブル電子デバイス。
【請求項６】
データ処理方法であって、
ウェアラブル電子デバイスが、受信された、ユーザにより入力された第１の操作命令に従って、第１のオペレーティングシステムを第２のオペレーティングシステムに切り換える段階と、
前記ウェアラブル電子デバイスが、前記第２のオペレーティングシステムによりサポートされる第１のアプリケーションを用いることによって、インテリジェント端末により送信された第１の情報を受信する段階であって、前記第１の情報は、オンライン決済を完了させるための取引データを含む、段階と、
前記ウェアラブル電子デバイスが、受信された、前記ユーザにより入力された第２の操作命令に従って、前記第１の情報が正確であることを決定する段階と、
前記ウェアラブル電子デバイスが、第２の情報を取得するように、前記第１の情報に対して、前記第２のオペレーティングシステムを用いることによって暗号化または署名処理を実行する段階と、
前記ウェアラブル電子デバイスが、前記第１のアプリケーションを用いることによって、前記第２の情報を前記インテリジェント端末へ送信する段階と
を備えるデータ処理方法。
【請求項７】
受信された、前記ユーザにより入力された第２の操作命令に従って、前記第１の情報が正確であることを決定する前記段階の前に、前記データ処理方法は、
前記ウェアラブル電子デバイスが、前記第２の操作命令を受信する段階であって、前記第２の操作命令は、前記第１の情報が正確であることを示すために用いられる、段階をさらに備える、請求項６に記載のデータ処理方法。
【請求項８】
前記第２のオペレーティングシステムによりサポートされる第１のアプリケーションを用いることによって、インテリジェント端末により送信された第１の情報を受信する前記段階の前に、前記データ処理方法は、
前記ウェアラブル電子デバイスが、無線アクセスモードで前記インテリジェント端末と通信接続を確立する段階と、
前記ウェアラブル電子デバイスが、前記インテリジェント端末により送信されたサービス要求命令に従って、前記第２のオペレーティングシステムによりサポートされる前記第１のアプリケーションを実行することを決定する段階と、
前記ウェアラブル電子デバイスが、前記第１のアプリケーションが既に実行されていることを示す応答メッセージを、前記インテリジェント端末へ送信する段階と
をさらに備える、請求項６または７に記載のデータ処理方法。
【請求項９】
受信された、ユーザにより入力された第１の操作命令に従って、第１のオペレーティングシステムを第２のオペレーティングシステムに切り換える前記段階の前に、前記データ処理方法は、
前記ウェアラブル電子デバイスが、前記ユーザにより入力された前記第１の操作命令を受信する段階であって、前記第１の操作命令は、前記第１のオペレーティングシステムを前記第２のオペレーティングシステムに切り換えるよう命令するために用いられる、段階をさらに備える、請求項６から８のいずれか一項に記載のデータ処理方法。
【請求項１０】
前記第１の操作命令および前記第２の操作命令は、音声命令、指紋命令、またはキーボード命令のうちの任意の一種である、請求項６から９のいずれか一項に記載のデータ処理方法。
【請求項１１】
インテリジェント端末およびウェアラブル電子デバイスを備えるデータ処理システムであって、
前記インテリジェント端末は、第１の情報を前記ウェアラブル電子デバイスへ送信し、前記第１の情報は、オンライン決済を完了させるための取引データを含み、
前記ウェアラブル電子デバイスは、受信された、ユーザにより入力された第１の操作命令に従って、第１のオペレーティングシステムを第２のオペレーティングシステムに切り換え、前記第２のオペレーティングシステムによりサポートされる第１のアプリケーションを用いることによって、前記インテリジェント端末により送信された前記第１の情報を受信し、前記第１の情報が正確であることを決定した場合、第２の情報を取得するように、前記第１の情報に対して、暗号化または署名処理を実行し、かつ、前記第２の情報を前記インテリジェント端末へ送信する、
データ処理システム。
【請求項１２】
前記インテリジェント端末はさらに、無線アクセスモードで前記ウェアラブル電子デバイスと通信接続を確立し、かつ、前記ウェアラブル電子デバイスへサービス要求命令を送信し、前記サービス要求命令は、前記第２のオペレーティングシステムによりサポートされる前記第１のアプリケーションを実行することを決定するように、前記ウェアラブル電子デバイスに命令するために用いられ、
前記ウェアラブル電子デバイスはさらに、前記サービス要求命令を受信し、前記サービス要求命令に従って、前記第２のオペレーティングシステムによりサポートされる前記第１のアプリケーションを実行することを決定し、かつ、前記第１のアプリケーションが既に実行されていることを示す応答メッセージを前記インテリジェント端末へ送信する、請求項１１に記載のデータ処理システム。
【請求項１３】
前記ウェアラブル電子デバイスはさらに、前記ユーザにより入力された第２の操作命令を受信し、かつ、前記第２の操作命令に従って、前記第１の情報が正確であることを決定し、前記第２の操作命令は、前記第１の情報が正確であることを示すために用いられる、請求項１１または１２に記載のデータ処理システム。
【請求項１４】
前記第１の操作命令および前記第２の操作命令は、音声命令、指紋命令、またはキーボード命令のうちの任意の一種である、請求項１３に記載のデータ処理システム。
【請求項１５】
記録されたプログラムを有するコンピュータ可読記憶媒体であって、前記プログラムは、請求項６から１０のいずれか一項に記載のデータ処理方法を、コンピュータに実行させる、
コンピュータ可読記憶媒体。
【請求項１６】
請求項６から１０のいずれか一項に記載のデータ処理方法を、コンピュータに実行させるプログラム。
【請求項１７】
ウェアラブル電子デバイスであって、
少なくとも１つのプロセッサと、
前記少なくとも１つのプロセッサと結合され、前記少なくとも１つのプロセッサによる実行のための命令を記憶するメモリとを備え、
前記少なくとも１つのプロセッサは、
第１の操作命令に従って、第１のオペレーティングシステムを第２のオペレーティングシステムに切り換える操作と、
前記第２のオペレーティングシステムによりサポートされる第１のアプリケーションを用いることによって、インテリジェント端末により送信された第１の情報を受信する操作であって、前記第１の情報は、オンライン決済を完了させるための取引データを含む、操作と、
第２の操作命令に従って、前記第１の情報が正確であることを決定する操作と、
第２の情報を取得するように、前記第１の情報に対して、前記第２のオペレーティングシステムを用いることによって暗号化または署名処理を実行する操作と、
前記第１のアプリケーションを用いることによって、前記第２の情報を前記インテリジェント端末へ送信する操作と
を実行するように、前記命令を実行する、ウェアラブル電子デバイス。
【請求項１８】
前記少なくとも１つのプロセッサは、
前記第２の操作命令を受信する操作を実行するように、前記命令を実行し、前記第２の操作命令は、前記第１の情報が正確であることを示すために用いられる、請求項１７に記載のウェアラブル電子デバイス。
【請求項１９】
前記少なくとも１つのプロセッサは、
無線アクセスモードで前記インテリジェント端末と通信接続を確立する操作と、
前記インテリジェント端末により送信されたサービス要求命令に従って、前記第２のオペレーティングシステムによりサポートされる前記第１のアプリケーションを実行することを決定する操作と、
前記第１のアプリケーションが既に実行されていることを示す応答メッセージを、前記インテリジェント端末へ送信する操作と
を実行するように、前記命令を実行する、請求項１７または１８に記載のウェアラブル電子デバイス。
【請求項２０】
前記少なくとも１つのプロセッサは、
前記第１の操作命令を受信する操作を実行するように、前記命令を実行し、前記第１の操作命令は、前記第１のオペレーティングシステムを前記第２のオペレーティングシステムに切り換えるように命令するために用いられる、請求項１７から１９のいずれか一項に記載のウェアラブル電子デバイス。
【請求項２１】
前記第１の操作命令および前記第２の操作命令は、音声命令、指紋命令、またはキーボード命令のうちの任意の一種である、請求項１７から２０のいずれか一項に記載のウェアラブル電子デバイス。
【発明の詳細な説明】
【技術分野】
【０００１】
［関連出願の相互参照］
本出願は、２０１５年８月１４日に中国特許庁宛に出願された、「データ処理方法およびシステム、ならびにウェアラブル電子デバイス」と題する特許出願番号第２０１５１０５０２４６５．１号に基づく優先権を主張し、該出願その全体は参照により本明細書に組み込まれている。
【０００２】
本発明は、通信技術の分野に関し、特に、データ処理方法およびシステム、ならびにウェアラブル電子デバイスに関する。
【背景技術】
【０００３】
インテリジェント端末の発展に伴い、インテリジェント端末の使用によるオンライン取引が普及となっている。オンライン決済を完了させるための既存の技術的解決手段は、ユーザ名／パスワードまたはＳＭＳメッセージメカニズムに基づくものである。ユーザ名／パスワードまたはＳＭＳメッセージメカニズムは、決済ウィルスにより容易に攻撃され、決済ウィルスは、ユーザＳＭＳメッセージを読み取り得る。ここでいう「ユーザＳＭＳメッセージ」は、ユーザの決済取引用の検証コードを含む。決済ウィルスはさらに、再パッケージ化方式で、悪意のあるコードを決済アプリケーション内に埋め込み得る。その結果、ユーザの許可なしで、ソフトウェアのダウンロードおよびインストールが可能となり、悪意のあるサブパッケージもインストールされ得て、さらにユーザの銀行口座およびパスワードを盗取し、ユーザの口座の資金を盗取し得る。このことは、インテリジェント端末上の決済クライアントの決済セキュリティに対して大きな脅威となる。
【０００４】
従って、ユーザによりインテリジェント端末を用いて実行されるオンライン決済のセキュリティ問題は、早急に解決される必要がある。
【発明の概要】
【０００５】
本発明の実施形態は、データ処理方法およびシステム、ならびにウェアラブル電子デバイスを提供し、これにより、ユーザによりインテリジェント端末を用いて実行されるオンライン決済のセキュリティ問題を解決する。
【０００６】
第１の態様によると、本発明の実施形態は、ウェアラブル電子デバイスを提供し、該ウェアラブル電子デバイスは、プロセッサと、メモリと、通信ユニットと、入力ユニットと、データ処理ユニットとを備える。メモリは、第１のオペレーティングシステムのソフトウェアプログラムおよびモジュールと、第２のオペレーティングシステムのソフトウェアプログラムおよびモジュールとを記憶するよう構成される。プロセッサは、ユーザにより入力され、かつ、入力ユニットにより受信された第１の操作命令に従って、第１のオペレーティングシステムを第２のオペレーティングシステムに切り換えるよう構成される。通信ユニットは、第２のオペレーティングシステムによりサポートされる第１のアプリケーションを用いることによって、インテリジェント端末により送信された第１の情報を受信するよう構成され、ここで、第１の情報は、オンライン決済を完了させるための取引データを含む。プロセッサはさらに、ユーザにより入力され、かつ、入力ユニットにより受信された第２の操作命令に従って、通信ユニットにより受信された第１の情報が正確であることを決定するよう構成される。データ処理ユニットは、第２の情報を取得するべく、プロセッサにより正確であると決定された第１の情報に対して、第２のオペレーティングシステムを用いることによって暗号化または署名処理を実行するよう構成される。通信ユニットはさらに、第１のアプリケーションを用いることによって、データ処理ユニットにより取得された第２の情報をインテリジェント端末へ送信するよう構成される。
【０００７】
第１の態様に関連して、第１の態様の第１の可能な実装方式において、入力ユニットはさらに、ユーザにより入力された第２の操作命令を受信するよう構成され、第２の操作命令は、第１の情報が正確であることを示すために用いられる。
【０００８】
第１の態様または第１の態様の第１の可能な実装方式に関連して、第１の態様の第２の可能な実装方式において、通信ユニットはさらに、無線アクセスモードでインテリジェント端末と通信接続を確立するよう構成され、プロセッサはさらに、インテリジェント端末により送信され、かつ、通信ユニットにより受信されたサービス要求命令に従って、第２のオペレーティングシステムによりサポートされる第１のアプリケーションを実行することを決定するよう構成され、通信ユニットはさらに、第１のアプリケーションが既に実行されていることを示す応答メッセージをインテリジェント端末へ送信するよう構成される。
【０００９】
先述の可能な実装方式のうちのいずれか１つに関連して、第１の態様の第３の可能な実装方式において、入力ユニットはさらに、ユーザにより入力された第１の操作命令を受信するよう構成され、第１の操作命令は、第１のオペレーティングシステムを第２のオペレーティングシステムに切り換えるために用いられる。
【００１０】
先述の可能な実装方式のいずれか１つに関連して、第１の態様の第４の可能な実装方式において、第１の操作命令および第２の操作命令は、音声命令、指紋命令、またはキーボード命令のうちの任意の一種である。
【００１１】
第２の態様によると、本発明の実施形態は、データ処理方法を提供し、該方法は、ウェアラブル電子デバイスが、受信された、ユーザにより入力された第１の操作命令に従って、第１のオペレーティングシステムを第２のオペレーティングシステムに切り換える段階と、ウェアラブル電子デバイスが、第２のオペレーティングシステムによりサポートされる第１のアプリケーションを用いることによって、インテリジェント端末により送信された第１の情報を受信する段階であって、第１の情報は、オンライン決済を完了させるための取引データを含む、段階と、ウェアラブル電子デバイスが、受信された、ユーザにより入力された第２の操作命令に従って、第１の情報が正確であることを決定する段階と、ウェアラブル電子デバイスが、第２の情報を取得するべく、第１の情報に対して、第２のオペレーティングシステムを用いて暗号化または署名処理を実行する段階と、ウェアラブル電子デバイスが、第１のアプリケーションを用いることによって、第２の情報をインテリジェント端末へ送信する段階とを備える。
【００１２】
第２の態様に関連して、第２の態様の第１の可能な実装方式において、受信された、ユーザにより入力された第２の操作命令に従って、第１の情報が正確であることを決定する段階の前に、方法はさらに、ウェアラブル電子デバイスが、第２の操作命令を受信する段階であって、第２の操作命令は、第１の情報が正確であることを示すために用いられる、段階を備える。
【００１３】
第２の態様または第２の態様の第１の可能な実装方式に関連して、第１の態様の第２の可能な実装方式において、第２のオペレーティングシステムによりサポートされる第１のアプリケーションを用いることによって、インテリジェント端末により送信された第１の情報を受信する段階の前に、方法はさらに、ウェアラブル電子デバイスが、無線アクセスモードでインテリジェント端末と通信接続を確立する段階と、ウェアラブル電子デバイスが、インテリジェント端末により送信されたサービス要求命令に従って、第２のオペレーティングシステムによりサポートされる第１のアプリケーションを実行することを決定する段階と、ウェアラブル電子デバイスが、第１のアプリケーションが既に実行されていることを示す応答メッセージをインテリジェント端末へ送信する段階とを備える。
【００１４】
先述の可能な実装方式のうちのいずれか１つに関連して、第２の態様の第３の可能な実装方式において、受信された、ユーザにより入力された第１の操作命令に従って、第１のオペレーティングシステムを第２のオペレーティングシステムに切り換える段階の前に、方法はさらに、ウェアラブル電子デバイスが、ユーザにより入力された第１の操作命令を受信する段階であって、第１の操作命令は、第１のオペレーティングシステムを第２のオペレーティングシステムに切り換えるために用いられる、段階を備える。
【００１５】
先述の可能な実装方式のいずれか１つに関連して、第２の態様の第４の可能な実装方式において、第１の操作命令および第２の操作命令は、音声命令、指紋命令、またはキーボード命令のうちの任意の一種である。
【００１６】
第３の態様によると、本発明の実施形態は、データ処理システムを提供し、該システムは、インテリジェント端末とウェアラブル電子デバイスとを備える。インテリジェント端末は、第１の情報をウェアラブル電子デバイスへ送信するよう構成され、ここで、第１の情報は、オンライン決済を完了させるための取引データを含む。ウェアラブル電子デバイスは、受信された、ユーザにより入力された第１の操作命令に従って、第１のオペレーティングシステムを第２のオペレーティングシステムに切り換えること、第２のオペレーティングシステムによりサポートされる第１のアプリケーションを用いることによって、インテリジェント端末により送信された第１の情報を受信すること、第１の情報が正確であることを決定した場合、第２の情報を取得するべく、第１の情報に対して、暗号化または署名処理を実行すること、および、第２の情報をインテリジェント端末へ送信することを実行するよう構成される。
【００１７】
第３の態様に関連して、第３の態様の第１の可能な実装方式において、インテリジェント端末はさらに、無線アクセスモードでウェアラブル電子デバイスと通信接続を確立し、サービス要求命令をウェアラブル電子デバイスへ送信するよう構成され、ここで、サービス要求命令は、第２のオペレーティングシステムによりサポートされる第１のアプリケーションを実行することを決定するようにウェアラブル電子デバイスに命令するために用いられる。ウェアラブル電子デバイスはさらに、サービス要求命令を受信し、サービス要求命令に従って、第２のオペレーティングシステムによりサポートされる第１のアプリケーションを実行することを決定し、第１のアプリケーションが既に実行されていることを示す応答メッセージをインテリジェント端末へ送信するよう構成される。
【００１８】
第３の態様または第３の態様の第１の可能な実装方式に関連して、第３の態様の第２の可能な実装方式において、ウェアラブル電子デバイスはさらに、ユーザにより入力された第２の操作命令を受信し、かつ、第２の操作命令に従って、第１の情報が正確であることを決定するよう構成され、ここで、第２の操作命令は、第１の情報が正確であることを示すために用いられる。
【００１９】
先述の可能な実装方式のいずれか１つに関連して、第３の態様の第３の可能な実装方式において、第１の操作命令および第２の操作命令は、音声命令、指紋命令、またはキーボード命令のうちの任意の一種である。
【００２０】
先述の技術的解決手段に基づき、本発明の実施形態において提供されるウェアラブル電子デバイス、ならびにデータ処理方法およびシステムによると、オンライン決済を完了させるために用いられる、インテリジェント端末により送信された第１の情報に対して、第２のオペレーティングシステムを用いることによって、暗号化または署名処理が実行され、第２の情報を取得し、第２の情報は、インテリジェント端末にフィードバックされ、これにより、インテリジェント端末は、第２の情報を取得し、オンライン決済を完了させ、それにより、ユーザによりインテリジェント端末を用いて実行されるオンライン決済のセキュリティ問題が解決される。
【図面の簡単な説明】
【００２１】
本発明の実施形態における技術的解決手段をより明確に説明するために、以下では、本発明の実施形態を説明するために必要とされる添付の図面を簡潔に説明する。明らかに、以下の説明における添付の図面はいくつかの本発明の実施形態を示すに過ぎず、当業者は、創造努力することなく、これらの添付の図面から、他の図面をさらに導き出し得る。
【００２２】
【図１】本発明の実施形態に係るウェアラブル電子デバイスの概略ブロック図である。
【００２３】
【図２】本発明の実施形態に係るデータ処理方法の概略フローチャートである。
【００２４】
【図３】本発明の別の実施形態に係るデータ処理方法の概略フローチャートである。
【００２５】
【図４】本発明のさらに別の実施形態に係るデータ処理方法の概略フローチャートである。
【００２６】
【図５】本発明のさらに別の実施形態に係るデータ処理方法の概略フローチャートである。
【００２７】
【図６】本発明のさらに別の実施形態に係るデータ処理方法の概略相互作用図である。
【００２８】
【図７】本発明の実施形態に係るデータ処理システムの概略ブロック図である。
【発明を実施するための形態】
【００２９】
以下では、本発明の実施形態における添付の図面を参照して、本発明の実施形態における技術的解決手段を明確に、かつ完全に説明する。明らかに、説明される実施形態は、本発明の実施形態の全てではなく、その一部である。当業者により、本発明の実施形態に基づき、創造努力することなく得られる他の全ての実施形態は、本発明の保護範囲内に含まれるものとする。
【００３０】
本発明の実施形態において、インテリジェント端末は、スマートフォンまたはタブレットコンピュータ等のデバイスであってよいことが、理解されるべきである。本発明の実施形態は、これに限定されない。
【００３１】
本発明の実施形態において、ウェアラブル電子デバイスは、例えば、インテリジェントに設計された衣類またはアクセサリのような、ユーザにより装着される、インテリジェントに設計されたデバイスであることが、さらに理解されるべきである。具体的には、本発明の実施形態において、ウェアラブル電子デバイスは、スマートバンド、スマートウォッチ、またはスマートメガネ等のデバイスであってよい。本発明の実施形態は、これらに限定されない。
【００３２】
図１は、本発明の実施形態に係るウェアラブル電子デバイス１００の概略ブロック図である。図１に示されているウェアラブル電子デバイス１００は、プロセッサ１１０と、メモリ１２０と、通信ユニット１３０と、入力ユニット１４０と、データ処理ユニット１５０とを備える。
【００３３】
メモリ１２０は、第１のオペレーティングシステムのソフトウェアプログラムおよびモジュールと、第２のオペレーティングシステムのソフトウェアプログラムおよびモジュールとを記憶するよう構成される。
【００３４】
プロセッサ１１０は、ユーザにより入力され、かつ、入力ユニット１４０により受信された第１の操作命令に従って、第１のオペレーティングシステムを第２のオペレーティングシステムに切り換えるよう構成される。
【００３５】
通信ユニット１３０は、第２のオペレーティングシステムによりサポートされる第１のアプリケーションを用いることによって、インテリジェント端末により送信された第１の情報を受信するよう構成され、ここで、第１の情報は、オンライン決済を完了させるための取引データを含む。
【００３６】
プロセッサ１１０はさらに、ユーザにより入力され、かつ、入力ユニット１４０により受信された第２の操作命令に従って、通信ユニット１３０により受信された第１の情報が正確であることを決定するよう構成される。
【００３７】
データ処理ユニット１５０は、第２の情報を取得するべく、プロセッサ１１０により正確であると決定された第１の情報に対して、第２のオペレーティングシステムを用いることによって暗号化または署名処理を実行するよう構成される。
【００３８】
通信ユニット１３０はさらに、第１のアプリケーションを用いることによって、データ処理ユニット１５０により取得された第２の情報をインテリジェント端末へ送信するよう構成される。
【００３９】
具体的には、本発明のこの実施形態において、ウェアラブル電子デバイス１００のプロセッサ１１０は、ユーザにより入力され、かつ、入力ユニット１４０により受信された第１の操作命令に従って、メモリ１２０に記憶されている、Ａｎｄｒｏｉｄ（登録商標）システム等の頻繁に用いられる第１のオペレーティングシステムを、セキュリティ機能を有し、かつ、メモリ１２０に記憶されている第２のオペレーティングシステムに切り換え、入力ユニット１４０により受信された第２の操作命令に従って、インテリジェント端末により送信され、かつ、通信ユニット１３０により、第２のオペレーティングシステムによりサポートされる第１のアプリケーションを用いて受信された第１の情報が正確であることを決定する。第１の情報は、オンライン決済を完了させるための取引データを含む。データ処理ユニット１５０は、プロセッサ１１０により正確であると決定された第１の情報に対して、第２のオペレーティングシステムを用いることによって暗号化または署名処理を実行して、第２の情報を取得する。通信ユニット１３０は、第２のオペレーティングシステムによりサポートされる第１のアプリケーションを用いることによって、データ処理ユニット１５０により取得された第２の情報をインテリジェント端末へ送信し、これにより、インテリジェント端末は、第２の情報を取得し、オンライン決済を完了させる。
【００４０】
従って、本発明のこの実施形態において提供されるウェアラブル電子デバイスは、オンライン決済を完了させるために用いられる、インテリジェント端末により送信された第１の情報に対して、第２のオペレーティングシステムを用いることによって暗号化または署名処理を実行して第２の情報を取得し、第２の情報をインテリジェント端末にフィードバックし、これにより、インテリジェント端末は、第２の情報を取得し、オンライン決済を完了させ、それにより、ユーザによりインテリジェント端末を用いて実行されるオンライン決済のセキュリティ問題が解決される。
【００４１】
本発明のこの実施形態において、第２のオペレーティングシステムのセキュリティ機能は以下の通り、具現化されることが、理解されるべきである。第１に、第２のオペレーティングシステムの起動処理が安全であり、すなわち、毎回起動する間に、ステップバイステップの署名認証が必要とされ、システムが改ざんされていないことを確保し、第２に、第２のオペレーティングシステムは、厳しいソフトウェアエントリを有し、第２のオペレーティングシステムのソフトウェアソースが、ソフトウェア監査およびコード署名によって厳密に制御され、悪意のあるソフトウェアが侵入しないことを確保し、第３に、第２のオペレーティングシステムは、制限された機能を提供し、相当小さい記憶空間を占有し、従って、脆弱性の可能性が大いに低減され、第４に、第２のオペレーティングシステムは、第１のオペレーティングシステム（例えば、頻繁に用いられるＡｎｄｒｏｉｄ（登録商標）システム）が実行されている場合に実行されず、第２のオペレーティングシステムが第１のオペレーティングシステムからセキュリティ攻撃を受けないことを確保し、および第５に、このオペレーティングシステムのみが、データ処理ユニット１５０へアクセスするためのインタフェースを提供し、例えば、第２のオペレーティングシステムは、簡易なグラフィックスシステムであってよい。
【００４２】
本発明のこの実施形態において、図１に示されているウェアラブル電子デバイス１００はさらに、表示ユニット１６０、周辺インタフェース１７０、および電源１８０等の構成要素を備えることに留意されるべきである。図１に示されている構成要素は、１つまたは複数のバスを用いて互いに通信し得る。当業者は、図１に示されているウェアラブル電子デバイス１００の構造が本発明に対して限定を構成するものではないことを理解し得る。該構造は、バス型構造であってよく、またはスター型構造であってよい。ウェアラブル電子デバイス１００はさらに、図面に示されている構成要素よりも、より多い又はより少ない構成要素を含んでよく、または、いくつかの構成要素を組み合わせてよく、もしくは、異なる構成要素配置を有してよい。
【００４３】
この実施形態において提供されるウェアラブル電子デバイス１００は、一例に過ぎず、本発明のこの実施形態に関わるウェアラブル電子デバイス１００は、図１に示されている構成要素よりも、より多い又はより少ない構成要素を有してよく、２つまたはそれより多くの構成要素を組み合わせてよく、または、異なる構成要素構成または設定を有してよいことにさらに留意されるべきである。各構成要素は、ハードウェアに、ソフトウェアに、または、１つまたは複数の信号プロセッサおよび／または特定用途向け集積回路を含む、ハードウェアとソフトウェアとの組み合わせに実装されてよい。
【００４４】
以下では、図１に示されているウェアラブル電子デバイス１００に含まれる全ての構成要素を具体的に説明する。
【００４５】
プロセッサ１１０は、ウェアラブル電子デバイスの制御センターとして用いられており、様々なインタフェースおよび回線を用いて電子デバイス全体の構成要素と接続してよく、メモリ１２０に記憶されているソフトウェアプログラムおよび／またはモジュールを動作させるまたは実行することによって、および、メモリ１２０に記憶されているデータを呼び出すことによって、電子デバイスの様々な機能および／または処理データを実行してよい。
【００４６】
プロセッサ１１０は、集積回路（Ｉｎｔｅｇｒａｔｅｄ  Ｃｉｒｃｕｉｔ、ＩＣ）を含んでよく、例えば、単一パッケージ化ＩＣを含んでよく、または、同じ機能もしくは異なる機能を有する複数のパッケージ化ＩＣを含んでよい。
【００４７】
本発明のこの実施形態において、プロセッサ１１０は、中央演算処理装置（Ｃｅｎｔｒａｌ  Ｐｒｏｃｅｓｓｉｎｇ  Ｕｎｉｔ、ＣＰＵ）を含んでよく、または、グラフィック処理ユニット（Ｇｒａｐｈｉｃｓ  Ｐｒｏｃｅｓｓｉｎｇ  Ｕｎｉｔ、ＧＰＵ）と、デジタル信号プロセッサ（Ｄｉｇｉｔａｌ  Ｓｉｇｎａｌ  Ｐｒｏｃｅｓｓｏｒ、ＤＳＰ）と、通信ユニットにおける制御チップ（例えば、ベースバンドチップ）またはフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）チップとの組み合わせを含んでよい。本発明のこの実施形態において、ＣＰＵは、単一コンピューティングコアを含んでよく、または、複数のコンピューティングコアを含んでよい。本発明のこの実施形態は、これらに限定されない。
【００４８】
メモリ１２０は、ソフトウェアプログラムおよびモジュールを記憶するよう構成されてよく、プロセッサ１１０は、ウェアラブル電子デバイス１００の様々な機能アプリケーションを実行し、メモリ１２０に記憶されているソフトウェアプログラムおよびモジュールを実行することによって、データを処理する。具体的には、本発明のこの実施形態において、メモリ１２０は、２つのオペレーティングシステムを記憶してよく、第１のオペレーティングシステムは、頻繁に用いられるオペレーティングシステム（例えば、Ａｎｄｒｏｉｄ（登録商標）システム）であり、第２のオペレーティングシステムは、簡易化されたオペレーティングシステム（例えば、簡易化されたグラフィックスシステム）である。２つのオペレーティングシステムは、同時に実行されることができず、スイッチ（入力ユニットにおけるエレメント）を用いて切り換えられる必要がある。決済が必要とされた場合、ユーザは、第１のオペレーティングシステムを第２のオペレーティングシステムに能動的に切り換える必要がある。
【００４９】
メモリ１２０は主に、プログラム記憶領域およびデータ記憶領域を含む。プログラム記憶領域は、オペレーティングシステム、および、例えば、音声再生プログラムまたは画像再生プログラムのような、少なくとも１つの機能により必要とされるアプリケーションプログラムを記憶してよい。データ記憶領域は、電子デバイスの使用により生成されるデータ（例えば、オーディオデータまたは電話予約）および同様のものを記憶してよい。
【００５０】
本発明のこの実施形態において、メモリ１２０は、ランダムアクセスメモリ（Ｒａｎｄｏｍ  Ａｃｃｅｓｓ  Ｍｅｍｏｒｙ、ＲＡＭ）などの揮発性メモリ、相変化ランダムアクセスメモリ（Ｐｈａｓｅ  Ｃｈａｎｇｅ  ＲＡＭ、ＰＲＡＭ）、および磁気抵抗ランダムアクセスメモリ（Ｍａｇｎｅｔｏｒｅｓｉｓｔｉｖｅ  ＲＡＭ、ＭＲＡＭ）を含んでよく、または、少なくとも１つの磁気ディスク記憶デバイス、電気的消去可能なプログラマブルリードオンリーメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、および、例えば、ＮＯＲフラッシュメモリ（ＮＯＲ  ｆｌａｓｈ  ｍｅｍｏｒｙ）またはＮＡＮＤフラッシュメモリ（ＮＡＮＤ  ｆｌａｓｈ  ｍｅｍｏｒｙ）のようなフラッシュ記憶デバイス等の不揮発性メモリを含んでよい。
【００５１】
通信ユニット１３０は、通信チャネルを確立するよう構成されてよく、これにより、ウェアラブル電子デバイス１００は、通信チャネルを用いることによって、遠隔サーバまたはインテリジェント端末（例えば、携帯電話またはタブレットコンピュータ）と接続し、データを該遠隔サーバまたは該インテリジェント端末へ送信し、該遠隔サーバまたは該インテリジェント端末からデータを受信する。
【００５２】
本発明のこの実施形態において、通信ユニット１３０は、無線ローカルエリアネットワーク（Ｗｉｒｅｌｅｓｓ  Ｌｏｃａｌ  Ａｒｅａ  Ｎｅｔｗｏｒｋ、ＷＬＡＮ）モジュール、Ｂｌｕｅｔｏｏｔｈ（登録商標）モジュール、近距離無線通信（Ｎｅａｒ  Ｆｉｅｌｄ  Ｃｏｍｍｕｎｉｃａｔｉｏｎ、ＮＦＣ）モジュール、またはベースバンドモジュール等の、無線通信のために用いられるモジュール、および、通信ユニットに対応し、かつ、無線ローカルエリアネットワーク通信、Ｂｌｕｅｔｏｏｔｈ（登録商標）通信、赤外線通信、および／またはセルラ通信システム通信のために用いられる無線周波数（Ｒａｄｉｏ  Ｆｒｅｑｕｅｎｃｙ、ＲＦ）回路を含んでよい。
【００５３】
入力ユニット１４０は、ユーザとウェアラブル電子デバイス１００との間のインタラクション、および／またはウェアラブル電子デバイス１００へのユーザにより入力された情報の入力を実行するよう構成されてよい。例えば、入力ユニット１４０は、ユーザ設定または機能制御に関連する信号入力を生成するべく、ユーザにより入力された数字情報または文字情報を受信し得る。
【００５４】
具体的には、本発明のこの実施形態において、入力ユニット１４０は、タッチパネル１４１および別の入力装置１４２を含んでよい。タッチパネル１４１は、タッチスクリーンとも称されており、タッチパネル１４１上の、またはその付近でのユーザのタッチ操作（例えば、指またはスタイラス等の任意の適切な物またはアクセサリを用いることによって、タッチパネル１４１上の、またはタッチパネル１４１付近でのユーザの操作）を収集して、予め設定されたプログラムに従って、対応する接続装置を駆動してよい。
【００５５】
任意で、タッチパネル１４１は、タッチ検出装置およびタッチコントローラといった２つの部分を含んでよい。タッチ検出装置は、ユーザのタッチ位置を検出し、タッチ操作によりもたらした信号を検出し、かつ、該信号をタッチコントローラへ送信する。タッチコントローラは、タッチ検出装置からタッチ情報を受信し、該タッチ情報をタッチポイントの座標に変換し、そして、該タッチポイントの座標をプロセッサ１１０へ送信しており、プロセッサ１１０により送信されたコマンドを受信して実行してよい。加えて、タッチパネル１４１は、抵抗型、静電容量型、赤外線型、または表面弾性波型等の複数の種類であってよい。
【００５６】
タッチパネル１４１に加えて、入力ユニット１４０はさらに、別の入力装置１４２を含んでよい。具体的には、別の入力装置１４２は、物理キーボード、ファンクションキー（例えば、音量制御キーまたはオン／オフキー）、トラックボール、マウス、ジョイスティック、または同様のもののうちの１つまたは複数を含んでよいが、これらに限定されない。
【００５７】
データ処理ユニット１５０は、機密データ記憶および安全コンピューティングを実行し得る。データ処理ユニット１５０は、内蔵ＣＰＵ、メモリ（ＳＲＡＭまたはフラッシュ）、およびチップオペレーティングシステム（ＣＯＳ）を有しており、ユーザの鍵またはデジタル認証書を記憶し得る。加えて、データ処理ユニットは、公開鍵アルゴリズムエンジン、対称アルゴリズムエンジン、ハッシュアルゴリズムエンジン、および乱数発生器を含む、内蔵アルゴリズムエンジンを有し、データ暗号化または署名処理を実行する。
【００５８】
公開鍵アルゴリズムエンジンは、公開鍵暗号化を実行するよう構成され、公開鍵暗号化は、未認可ユーザに非公開であることが必要な秘密鍵と、任意のユーザに公開してよい公開鍵とを用いることを指す。公開鍵は、秘密鍵に関連付けられ、２つの鍵は両方とも、通信セッションに関して一意である。公開鍵を用いて暗号化されたデータは、秘密鍵を用いることのみによって復号化され得て、秘密鍵を用いて署名されたデータは、公開鍵を用いることのみによって認証され得る。データは、鍵を用いて暗号化される必要があり、別の鍵を用いて復号化される必要があるため、公開鍵暗号化アルゴリズムは、非対称アルゴリズムとも称される。
【００５９】
対称アルゴリズムエンジンは、対称暗号化を実行するよう構成され、対称暗号化アルゴリズムは、データを暗号化および復号化するべく、単一秘密鍵を用いることを指す。鍵を有する任意の人は、該鍵を用いてデータを復号化し得るため、鍵が未認可エージェントにより取得されることを防止することは必要である。同じ鍵は暗号化および復号化の両方に用いられるため、対称暗号化アルゴリズムは、秘密鍵暗号化アルゴリズムとも称される。
【００６０】
ハッシュアルゴリズムエンジンは、ハッシュ関数暗号化を実行するよう構成され、ハッシュ関数は場合によって、メッセージダイジェスト関数、ハッシュ関数、またはハッシュ関数とも称される。ハッシュ関数暗号化処理において、鍵は必ずしも用いられるわけではないが、多くの暗号アルゴリズムが関わる。入力データは、比較的短い、一定の長さを有するハッシュ値として出力されてよい。この処理は単方向であり、逆方向の操作を完了させることが困難である。加えて、２つ異なる入力について同じハッシュ値を生成する可能性が、相当低い。
【００６１】
乱数発生器は、乱数を生成するよう構成されており、暗号化操作の間にランダムな暗号化鍵を生成し得て、これにより、生成された鍵は再び出現しにくくなる。このことは、データ送信のセキュリティに資する。
【００６２】
本発明のこの実施形態において、データ処理ユニット１５０はさらに、７８１６インタフェースまたはシリアルペリフェラルインタフェース（Ｓｅｒｉａｌ  Ｐｅｒｉｐｈｅｒａｌ  Ｉｎｔｅｒｆａｃｅ、ＳＰＩ）等のセキュリティインタフェースをサポートしてよく、チップレベルのセキュリティの検出および保護メカニズムもサポートしてよい。
【００６３】
具体的には、本発明のこの実施形態において、データ処理ユニット１５０は、データ処理ユニット１５０に記憶されている鍵を用いて処理された情報のみが決済組織により受け入れられ得ることを確保するべく、一意な鍵情報を記憶してよい。データ処理ユニット１５０は、決済組織における、ユーザの対応する認証書および鍵を記憶してよく、ユーザの認証書は、決済組織のプラットフォーム側にも記憶されており、これにより、認証書と鍵との間の一意な対応関係を用いることによって、該鍵を有するエンティティ（ウェアラブル電子デバイス１００）により取引が完了することは、確保され得る。すなわち、データ処理ユニット１５０は、決済、銀行カード情報、および同様のものに関連する鍵（認証書）を記憶してよく、該鍵は、データ処理ユニット１５０において完全にランダムに生成されてデータ処理ユニット１５０に記憶されてよく、これにより、該鍵はデータ処理ユニット１５０からエクスポートされないことが確保される。データ処理ユニット１５０は、決済組織における、ユーザの対応認証書および該認証書に対応する秘密鍵を記憶し、該秘密鍵はエクスポートされることができないため、該秘密鍵を用いて暗号化または署名されたデータのみが、サーバ上で認証され得て（決済組織はサーバのプラットフォーム側にある）、これにより、データ処理ユニット１５０が用いられる場合のみ、取引は完了され得ることが確保される。
【００６４】
ウェアラブル電子デバイス１００はさらに、ユーザにより入力された情報と、ユーザのために提供される情報と、ウェアラブル電子デバイス１００の様々なメニューとを表示するよう構成され得る表示ユニット１６０を含む。表示ユニット１６０は、表示パネル１６１を含んでよく、任意で、表示パネル１６１は、ＬＣＤ（Ｌｉｑｕｉｄ  Ｃｒｙｓｔａｌ  Ｄｉｓｐｌａｙ、液晶ディスプレイ）、ＯＬＥＤ（Ｏｒｇａｎｉｃ  Ｌｉｇｈｔ−Ｅｍｉｔｔｉｎｇ  Ｄｉｏｄｅ、有機発光ダイオード）、または同様のものの形態で構成され得る。
【００６５】
さらに、タッチパネル１４１は、表示パネル１６１を被覆してよい。タッチパネル１４１上またはその付近でタッチ操作を検出した場合、タッチパネル１４１は、タッチ操作をプロセッサ１１０へ送信し、タッチイベントの種類を決定し、その後、プロセッサ１１０は、タッチイベントの種類に従って、対応する視覚出力を表示パネル１６１に提供する。
【００６６】
図１におけるタッチパネル１４１および表示パネル１６１は、２つの独立した構成要素として、ウェアラブル電子デバイス１００の入力および出力機能を実装するために用いられるが、いくつかの実施形態において、タッチパネル１４１および表示パネル１６１は、ウェアラブル電子デバイス１００の入力および出力機能を実装するように統合されてよい。
【００６７】
ウェアラブル電子デバイス１００はさらに、外部デバイスとウェアラブル電子デバイス１００とを接続するよう構成され得るインタフェースである周辺インタフェース１７０を含む。外部デバイスは、キーボード、マウス、タッチパッド、トラックボール、ジョイスティック、ゲームコントローラ、マイク、ディスプレイ、サウンドボックス、電力増幅器、または同様のもののうちの１つまたは複数を含むが、これらに限定されない。外部デバイスは、周辺インタフェース１７０を用いてウェアラブル電子デバイス１００のプロセッサ１１０と接続し、処理するためにデータ（例えば、数字情報または文字情報）をプロセッサ１００に入力し、または、プロセッサ１００からデータを読み取り、周辺インタフェース１７０を用いることによってデータを外部デバイスに出力する。
【００６８】
本発明のこの実施形態において、周辺インタフェース１７０は、ユニバーサルシリアルバス（Ｕｎｉｖｅｒｓａｌ  Ｓｅｒｉａｌ  Ｂｕｓ、ＵＳＢ）インタフェース、ｍｉｎｉ−ＵＳＢインタフェース、ペリフェラルコンポーネントインターコネクト（Ｐｅｒｉｐｈｅｒａｌ  Ｃｏｍｐｏｎｅｎｔ  Ｉｎｔｅｒｃｏｎｎｅｃｔ、ＰＣＩ）インタフェース、ＩＥＥＥ１３９４インタフェース、ビデオグラフィックアレイ（Ｖｉｄｅｏ  Ｇｒａｐｈｉｃｓ  Ａｒｒａｙ、ＶＧＡ）インタフェース、高精細度マルチメディアインタフェース（Ｈｉｇｈ  Ｄｅｆｉｎｉｔｉｏｎ  Ｍｕｌｔｉｍｅｄｉａ  Ｉｎｔｅｒｆａｃｅ、ＨＤＭＩ（登録商標））、および同様のものを含むが、これらに限定されない。または先述のインタフェースのうちのいずれか１つまたはそれらの組み合わせである。
【００６９】
ウェアラブル電子デバイス１００はさらに、ウェアラブル電子デバイス１００の異なる構成要素の操作を維持するべく、該構成要素に電力を供給するよう構成される電源１８０を含む。概して、電源１８０は、一般のリチウムイオンバッテリまたはＮｉＭＨバッテリ等の内蔵バッテリであってよく、または、例えば、ＡＣアダプタのような、ウェアラブル電子デバイス１００に電力を直接供給する外部電源を含んでよい。
【００７０】
本発明のこの実施形態において、電源１８０はさらに、電力管理システム、課金システム、停電検出回路、電力コンバータまたはインバータ、電力ステータスインジケータ（例えば、発光ダイオード）、および、電子デバイスの電気エネルギの生成、管理および分配に関連する任意の他の構成要素を含んでよい。
【００７１】
任意で、本発明の実施形態において、入力ユニット１４０はさらに、ユーザにより入力される第２の操作命令を受信するよう構成され、第２の操作命令は、第１の情報が正確であることを示すために用いられる。
【００７２】
具体的には、本発明のこの実施形態において、ウェアラブル電子デバイス１００のプロセッサ１１０が第１のオペレーティングシステムを第２のオペレーティングシステムに切り換えた後、通信ユニット１３０は、第２のオペレーティングシステムによりサポートされる第１のアプリケーションを用いることによって、インテリジェント端末により送信された第１の情報を受信し、プロセッサ１１０は、第１の情報が正確であることを示すために用いられる、入力ユニット１４０により受信された第２の操作命令に従って、第１の情報が正確であることを決定する。第１の情報は、オンライン決済を完了させるための取引データを含む。さらに、データ処理ユニット１５０は、プロセッサ１１０により正確であると決定された第１の情報に対して、第２のオペレーティングシステムを用いることによって暗号化または署名処理を実行し、第２の情報を取得する。すなわち、通信ユニット１３０により受信された第１の情報は、ウェアラブル電子デバイス１００上で表示され得る。このことは、第１の情報の真正性を確保し得る。
【００７３】
取引データがインテリジェント端末上の悪意のあるソフトウェアにより改ざんされた場合、改ざんされたデータは、ウェアラブル電子デバイス１００の表示ユニット１６０上で表示され得る。取引データが不正確であることをユーザが発見した場合、ユーザは、決済操作を中止してよい。
【００７４】
任意で、本発明の別の実施形態において、通信ユニット１３０はさらに、無線アクセスモードでインテリジェント端末と通信接続を確立するよう構成されてよく、プロセッサ１１０はさらに、インテリジェント端末により送信され、かつ、通信ユニット１３０により受信されたサービス要求命令に従って、第２のオペレーティングシステムによりサポートされる第１のアプリケーションを実行することを決定するよう構成されてよく、通信ユニット１３０は、第１のアプリケーションが既に実行されていることを示す応答メッセージを、インテリジェント端末へ送信する。
【００７５】
具体的には、本発明のこの実施形態において、ウェアラブル電子デバイス１００のプロセッサ１１０が第１のオペレーティングシステムを第２のオペレーティングシステムに切り換えた後、通信ユニット１３０は、無線アクセスモードでインテリジェント端末と通信接続を確立してよい。例えば、具体的な期間および具体的な頻度によってインテリジェント端末によりブロードキャストされた検索メッセージを受信した後、ウェアラブル電子デバイス１００は、検索応答メッセージをインテリジェント端末へ送信し、検索応答メッセージは、ウェアラブル電子デバイス１００のＢｌｕｅｔｏｏｔｈ（登録商標）モジュールのＢｌｕｅｔｏｏｔｈ（登録商標）アドレスおよびクロック情報を保持する。インテリジェント端末がウェアラブル電子デバイス１００の検索応答メッセージを受信した場合、ユーザは、接続を確立するようにインテリジェント端末の画面をタップしてよく、インテリジェント端末は、インテリジェント端末のＢｌｕｅｔｏｏｔｈ（登録商標）アドレスおよびＢｌｕｅｔｏｏｔｈ（登録商標）クロックをウェアラブル電子デバイス１００へ送信し、これにより、ウェアラブル電子デバイス１００クロックは、インテリジェント端末のクロックと同期する。インテリジェント端末とウェアラブル電子デバイス１００との間のＢｌｕｅｔｏｏｔｈ（登録商標）通信リンクが確立され、インテリジェント端末は、ＰＩＮ番号をランダムに生成し、該ＰＩＮ番号をウェアラブル電子デバイス１００へ送信する。ＰＩＮ番号を受信した後、ウェアラブル電子デバイス１００は、インテリジェント端末のＰＩＮ番号とウェアラブル電子デバイス１００のＰＩＮ番号とが一致するかを決定し、接続の有効性を検証する。ユーザがウェアラブル電子デバイス１００上で「受け入れる」を選択したとき、Ｂｌｕｅｔｏｏｔｈ（登録商標）接続がインテリジェント端末とウェアラブル電子デバイス１００との間で確立され、データインタラクションは、Ｂｌｕｅｔｏｏｔｈ（登録商標）を用いることによって、インテリジェント端末とウェアラブル電子デバイス１００との間で実行され得る。
【００７６】
インテリジェント端末がウェアラブル電子デバイス１００とＢｌｕｅｔｏｏｔｈ（登録商標）接続を確立した後、インテリジェント端末は、サービス要求コマンドをウェアラブル電子デバイス１００へ送信し、対応するサービスを取得する。ウェアラブル電子デバイス１００のプロセッサ１１０は、インテリジェント端末により送信され、かつ、通信ユニット１３０により受信されたサービス要求命令に従って、第２のオペレーティングシステムによりサポートされる第１のアプリケーションを実行することを決定し、通信ユニット１３０は、第１のアプリケーションが既に実行されていることを示す応答メッセージをインテリジェント端末へ送信する。
【００７７】
例えば、インテリジェント端末は、中国の工商銀行のサービスを取得するように、サービス要求コマンドをウェアラブル電子デバイス１００へ送信し、インテリジェント端末により送信され、かつ、通信ユニット１３０により受信されたサービス要求命令に従って、ウェアラブル電子デバイス１００のプロセッサ１１０は、第２のオペレーティングシステムによりサポートされる中国の工商銀行のアプリケーションを決定して実行する。通信ユニット１３０は、中国の工商銀行のアプリケーションが既に実行されていることを示す応答メッセージを、インテリジェント端末へ送信する。
【００７８】
本発明のこの実施形態において、インテリジェント端末はさらに、ウェアラブル電子デバイス１００とＷｉＦｉ（登録商標）接続を確立し得ることが、理解されるべきである。第２のオペレーティングシステムは、複数の決済アプリケーションをサポートし得る。従って、ウェアラブル電子デバイス１００は、複数の決済アプリケーションから、インテリジェント端末により送信されたサービス要求命令に従って、命令に対応するアプリケーションを決定して該アプリケーションを起動してよく、これにより、取引データを含み、かつ、インテリジェント端末により送信された第１の情報を受信する。
【００７９】
任意で、本発明の別の実施形態において、入力ユニット１４０はさらに、ユーザにより入力された第１の操作命令を受信するよう構成されてよく、第１の操作命令は、第１のオペレーティングシステムを第２のオペレーティングシステムに切り換えるために用いられる。具体的には、本発明のこの実施形態において、ウェアラブル電子デバイス１００のプロセッサ１１０が、ユーザにより入力され、かつ、入力ユニット１４０により受信された第１の操作命令に従って、頻繁に用いられる第１のオペレーティングシステムを、セキュリティ機能を有する第２のオペレーティングシステムに切り換える前に、入力ユニット１４０は、第１のオペレーティングシステムを第２のオペレーティングシステムに切り換えるように命令するために用いられる第１の操作命令を受信し得る。
【００８０】
本発明のこの実施形態において、第１の操作命令および第２の操作命令は、音声入力、指紋入力、キーボード入力のうちのいずれか１つの方式で入力された操作命令であってよく、すなわち、音声命令、指紋命令、またはキーボード命令のうちの任意の一種であってよいことが、理解されるべきである。
【００８１】
本発明のこの実施形態において、入力ユニット１４０は、タッチパネルであってよく、または、実在的な入力キーまたはマイク等の別のヒューマン−コンピュータインタラクションインタフェースであってよく、もしくは、カメラ等の別の外部情報収集装置であってよいことがさらに理解されるべきである。本発明のこの実施形態は、これらに限定されない。
【００８２】
本発明の実施形態に係るウェアラブル電子デバイスは、図１を参照して上で詳細に説明されており、本発明の実施形態に係るデータ処理方法は、図２から図６を参照して以下で詳細に説明される。
【００８３】
図２は、本発明の実施形態に係るデータ処理方法２００の概略フローチャートである。図２に示されている方法２００は、ウェアラブル電子デバイスにより実行されてよく、方法２００は、以下の段階を含む。
【００８４】
段階２１０．受信された、ユーザにより入力された第１の操作命令に従って、第１のオペレーティングシステムを第２のオペレーティングシステムに切り換える。
【００８５】
段階２２０．第２のオペレーティングシステムによりサポートされる第１のアプリケーションを用いることによって、インテリジェント端末により送信された第１の情報を受信し、ここで、第１の情報は、オンライン決済を完了させるための取引データを含む。
【００８６】
段階２３０．受信された、ユーザにより入力された第２の操作命令に従って、第１の情報が正確であることを決定する。
【００８７】
段階２４０．第２の情報を取得するべく、第１の情報に対して第２のオペレーティングシステムを用いることによって暗号化または署名処理を実行する。
【００８８】
段階２５０．第１のアプリケーションを用いることによって、第２の情報をインテリジェント端末へ送信する。
【００８９】
具体的には、本発明のこの実施形態において、受信された、ユーザにより入力された第１の操作命令に従って、Ａｎｄｒｏｉｄ（登録商標）システム等の、頻繁に用いられる第１のオペレーティングシステムが、セキュリティ機能を有する第２のオペレーティングシステムに切り換えられた後、インテリジェント端末により送信された第１の情報は、第２のオペレーティングシステムによりサポートされる第１のアプリケーションを用いることによって受信され、第１の情報は、オンライン決済を完了させる取引データを含む。受信された、ユーザにより入力された第２の操作命令に従って、受信された第１の情報が正確であることが決定され、その後、第１の情報に対して、暗号化または署名処理が、第２のオペレーティングシステムを用いることによって実行され、第２の情報が取得される。例えば、ウェアラブル電子デバイスの第２のオペレーティングシステムは、鍵を用いて処理された情報のみが決済組織により受け入れられ得ることを確保するように、一意な鍵情報を記憶してよい。ウェアラブル電子デバイスの第２のオペレーティングシステムは、決済組織における、ユーザの対応する認証書および鍵を記憶してよく、ユーザの認証書も、決済組織のプラットフォーム側に記憶され、これにより、認証書と鍵との間の一意な対応関係を用いることによって、該鍵を有するエンティティ（ウェアラブル電子デバイス）により取引が完了されることが確保され得る。最後に、暗号化または署名処理によって取得された第２の情報は、第１のアプリケーションを用いることによってインテリジェント端末へ送信され、これにより、インテリジェント端末は、第２の情報を取得し、オンライン決済を完了させる。
【００９０】
従って、本発明のこの実施形態において提供されているデータ処理方法に従って、オンライン決済を完了させるために用いられ、かつ、インテリジェント端末により送信された第１の情報に対して、ウェアラブル電子デバイスの第２のオペレーティングシステムを用いることによって暗号化または署名処理が実行され、第２の情報を取得し、該第２の情報は、インテリジェント端末にフィードバックされ、これにより、インテリジェント端末は、第２の情報を取得し、オンライン決済を完了させ、それにより、ユーザによりインテリジェント端末を用いることによって実行されるオンライン決済のセキュリティ問題を解決する。
【００９１】
任意で、本発明の実施形態において、図３に示されているように、段階２３０の前に方法２００は、以下の段階をさらに備える。
【００９２】
段階２５５．ユーザにより入力された第２の操作命令を受信し、ここで、第２の操作命令は、第１の情報が正確であることを示すために用いられる。
【００９３】
具体的には、本発明のこの実施形態において、インテリジェント端末により送信された第１の情報が、第２のオペレーティングシステムによりサポートされる第１のアプリケーションを用いることによって受信された後、ユーザにより入力され、かつ、第１の情報が正確であることを示すために用いられる第２の操作命令は、受信されてよく、第１の情報は、オンライン決済を完了させるための取引データを含む。そして、受信された第２の操作命令に従って、第１の情報が正確であることが、決定される。さらに、第１の情報に対して、第２のオペレーティングシステムを用いることによって暗号化または署名処理が実行され、第２の情報を取得する。すなわち、受信された第１の情報は、ウェアラブル電子デバイス上で表示され得る。このことは、第１の情報の真正性を確保し得る。取引データがインテリジェント端末上の悪意のあるソフトウェアにより改ざんされた場合、改ざんされたデータは、ウェアラブル電子デバイスのディスプレイ上に表示されてよい。取引データが不正確であることをユーザが発見した場合、ユーザは、決済操作を中止してよい。
【００９４】
任意で、本発明の別の実施形態において、図４に示されているように、段階２２０の前に、方法２００は、以下の段階をさらに備える。
【００９５】
段階２６０．無線アクセスモードでインテリジェント端末と通信接続を確立する。
【００９６】
段階２６５．インテリジェント端末により送信されたサービス要求命令に従って、第２のオペレーティングシステムによりサポートされる第１のアプリケーションを実行することを決定する。
【００９７】
段階２７０．第１のアプリケーションが既に実行されていることを示す応答メッセージをインテリジェント端末へ送信する。
【００９８】
具体的には、本発明のこの実施形態において、受信された、ユーザにより入力された第１の操作命令に従って、頻繁に用いられる第１のオペレーティングシステムが、セキュリティ機能を有する第２のオペレーティングシステムに切り換えられた後、インテリジェント端末との通信接続は、無線アクセスモードで確立されてよい。インテリジェント端末がウェアラブル電子デバイスとＢｌｕｅｔｏｏｔｈ（登録商標）接続を確立した後、インテリジェント端末は、サービス要求コマンドをウェアラブル電子デバイスへ送信し、対応するサービスを取得する。ウェアラブル電子デバイスは、インテリジェント端末により送信されたサービス要求命令に従って、第２のオペレーティングシステムによりサポートされる第１のアプリケーションを実行することを決定し、第１のアプリケーションが既に実行されていることを示す応答メッセージを、インテリジェント端末へ送信する。
【００９９】
例えば、インテリジェント端末は、中国の工商銀行のサービスを取得するように、サービス要求コマンドをウェアラブル電子デバイスへ送信し、インテリジェント端末により送信されたサービス要求命令に従って、ウェアラブル電子デバイスは、第２のオペレーティングシステムによりサポートされる、中国の工商銀行のアプリケーションを決定して実行し、中国の工商銀行のアプリケーションが既に実行されていることを示す応答メッセージを、インテリジェント端末へ送信する。
【０１００】
本発明のこの実施形態において、インテリジェント端末はさらに、ウェアラブル電子デバイスとＷｉＦｉ（登録商標）接続を確立し得ることが、理解されるべきである。第２のオペレーティングシステムは、複数の決済アプリケーションをサポートし得る。従って、ウェアラブル電子デバイスは、複数の決済アプリケーションから、インテリジェント端末により送信されたサービス要求命令に従って、命令に対応するアプリケーションを決定し、該アプリケーションを起動してよく、これにより、取引データを含み、かつ、インテリジェント端末により送信された第１の情報を受信する。
【０１０１】
任意で、本発明の別の実施形態において、図５に示されているように、段階２１０の前に、方法２００は、以下の段階をさらに備える。
【０１０２】
段階２７５．ユーザにより入力された第１の操作命令を受信し、ここで、第１の操作命令は、第１のオペレーティングシステムを第２のオペレーティングシステムに切り換えるように命令するために用いられる。
【０１０３】
具体的には、本発明のこの実施形態において、受信された第１の操作命令に従って、頻繁に用いられる第１のオペレーティングシステムが、セキュリティ機能を有する第２のオペレーティングシステムに切り換えられる前に、第１のオペレーティングシステムを第２のオペレーティングシステムに切り換えるように命令するために用いられる第１の操作命令は、受信されてよい。
【０１０４】
本発明のこの実施形態において、第１の操作命令および第２の操作命令は、音声命令、指紋命令、またはキーボード命令のうちの任意の一種であってよいことが、理解されるべきである。
【０１０５】
本発明の実施形態の技術的解決手段は、図６に示されている、本発明の実施形態に係るデータ処理方法６００の概略相互作用図を参照して、以下で詳細に説明される。図６に示されている方法６００は、以下の段階を含む。
【０１０６】
段階６１０．ウェアラブル電子デバイスが、受信された、ユーザにより入力された第１の操作命令に従って、第１のオペレーティングシステムを第２のオペレーティングシステムに切り換える。
【０１０７】
具体的には、本発明のこの実施形態において、オンライン決済サービスを実行する必要があると決定した場合、ユーザは、第１の操作命令をウェアラブル電子デバイスに入力してよく、例えば、音声方式、キーボード方式、または指紋方式で操作命令をウェアラブル電子デバイスに入力してよい。第１の操作命令は、Ａｎｄｒｏｉｄ（登録商標）システム等の、頻繁に用いられる第１のオペレーティングシステムを、セキュリティ機能を有する第２のオペレーティングシステムに切り換えるように、ウェアラブル電子デバイスに命令する。
【０１０８】
段階６１５．インテリジェント端末が、無線アクセスモードでウェアラブル電子デバイスと通信接続を確立する。
【０１０９】
具体的には、本発明のこの実施形態において、インテリジェント端末は、Ｂｌｕｅｔｏｏｔｈ（登録商標）またはＷｉＦｉ（登録商標）方式でウェアラブル電子デバイスと通信接続を確立してよい。
【０１１０】
段階６２０．インテリジェント端末は、サービス要求命令をウェアラブル電子デバイスへ送信し、サービス要求命令は、中国の工商銀行の関連サービスを提供するようにウェアラブル電子デバイスに命令するために用いられる。
【０１１１】
段階６２５．ウェアラブル電子デバイスは、インテリジェント端末により送信されたサービス要求命令を受信し、サービス要求命令に従って、第２のオペレーティングシステムによりサポートされる、中国の工商銀行のアプリケーションを決定して実行し、これにより、中国の工商銀行の関連サービスを提供する。
【０１１２】
段階６３０．ウェアラブル電子デバイスは、中国の工商銀行のアプリケーションが既に実行されていることを示す応答メッセージを、インテリジェント端末へ送信し、応答メッセージは、ウェアラブル電子デバイスが中国の工商銀行の関連サービスを提供し得ることを示すために用いられる。
【０１１３】
段階６３５．応答メッセージを受信した後、インテリジェント端末は、第１の情報をウェアラブル電子デバイスへ送信し、ここで、第１の情報は、オンライン決済を完了させるための取引データを含む。
【０１１４】
段階６４０．ウェアラブル電子デバイスは、第２のオペレーティングシステムによりサポートされる第１のアプリケーションを用いることによって、インテリジェント端末により送信された第１の情報を受信する。
【０１１５】
段階６４５．ウェアラブル電子デバイスは、受信された、ユーザにより入力された第２の操作命令に従って、第１の情報が正確であることを決定する。
【０１１６】
具体的には、本発明のこの実施形態において、ウェアラブル電子デバイスは、中国の工商銀行のアプリケーションを用いることによって、インテリジェント端末により送信された第１の情報を受信し、第１の情報は、オンライン決済を完了させるための取引データを含み、第１の情報は、ウェアラブル電子デバイスのディスプレイ上で表示されてよい。ユーザは、第１の情報が正確であることを決定するべく、第２の操作命令をウェアラブル電子デバイスに入力してよく、例えば、音声方式、鍵方式、または指紋方式で第２の操作命令を入力してよい。第１の情報に含まれる取引データが不正確であることをユーザが発見した場合、ユーザは、決済操作を中止し得て、損失を回避する。
【０１１７】
段階６５０．ウェアラブル電子デバイスは、第２の情報を取得するべく、受信された第１の情報に対して、第２のオペレーティングシステムを用いることによって暗号化または署名処理を実行する。
【０１１８】
段階６５５．ウェアラブル電子デバイスは、暗号化または署名処理によって取得された第２の情報をインテリジェント端末へ送信する。
【０１１９】
段階６６０．インテリジェント端末は、ウェアラブル電子デバイスにより送信された第２の情報を受信し、該第２の情報に従って、オンライン決済を完了させる。
【０１２０】
具体的には、本発明のこの実施形態において、ウェアラブル電子デバイスは、第２の情報を取得するべく、受信された第１の情報に対して、セキュリティ機能を有する第２のオペレーティングシステムを用いることによって暗号化または署名処理を実行してよく、これにより、第２のオペレーティングシステムに記憶されている鍵を用いて処理された情報のみが決済組織により受け入れ得ることを確保する。ウェアラブル電子デバイスは、暗号化または署名処理によって取得された第２の情報をインテリジェント端末へ送信し、インテリジェント端末は、第２の情報を受信して、該第２の情報を決済組織のプラットフォームへ送信する。決済組織は、第２の情報を受信し、第２の情報が正確であることを検証した後に対応する決済取引を完了させる。決済組織は、取引が完了したことを示す情報を保持するフィードバックメッセージを、インテリジェント端末へ送信してよい。
【０１２１】
従って、本発明のこの実施形態において提供されているデータ処理方法に従って、オンライン決済を完了させるために用いられ、かつ、インテリジェント端末により送信された第１の情報に対して、ウェアラブル電子デバイスの第２のオペレーティングシステムを用いることによって暗号化または署名処理は実行され、第２の情報を取得し、該第２の情報は、インテリジェント端末にフィードバックされ、これにより、インテリジェント端末は、第２の情報を取得し、オンライン決済を完了させ、それにより、ユーザによりインテリジェント端末を用いることによって実行されるオンライン決済のセキュリティ問題を解決する。
【０１２２】
本発明の実施形態において、本発明の実施形態に係る方法２００は、本発明の実施形態に係るウェアラブル電子デバイス１００により対応して実行されてよく、図２から図６における方法の対応手順は、ウェアラブル電子デバイス１００のモジュールの先述のおよび他の操作および／または機能を用いることによって別々に実装されることが、理解されるべきである。簡潔さのために、詳細はここでは説明されない。
【０１２３】
本発明の実施形態に係るデータ処理方法は、図２から図６を参照して上で詳細に説明されており、本発明の実施形態に係るデータ処理システムは、図７を参照して以下で詳細に説明される。
【０１２４】
図７は、本発明の実施形態に係るデータ処理システム７００の概略図である。図７に示されているシステム７００は、インテリジェント端末７１０およびウェアラブル電子デバイス７２０を含む。
【０１２５】
インテリジェント端末７１０は、第１の情報をウェアラブル電子デバイス７２０へ送信するよう構成され、ここで、第１の情報は、オンライン決済を完了させるための取引データを含む。
【０１２６】
ウェアラブル電子デバイス７２０は、受信された、ユーザにより入力された第１の操作命令に従って、第１のオペレーティングシステムを第２のオペレーティングシステムに切り換え、第２のオペレーティングシステムによりサポートされる第１のアプリケーションを用いることによって、インテリジェント端末７１０により送信された第１の情報を受信し、第１の情報が正確であることを決定した場合、第１の情報に対して暗号化または署名処理を実行して第２の情報を取得し、第２の情報をインテリジェント端末７１０へ送信するよう構成される。
【０１２７】
従って、本発明のこの実施形態において提供されるデータ処理システムにより、オンライン決済を完了させるために用いられ、かつ、インテリジェント端末により送信された第１の情報に対して、ウェアラブル電子デバイスの第２のオペレーティングシステムを用いることによって、暗号化または署名処理は実行され、第２の情報を取得し、該第２の情報は、インテリジェント端末にフィードバックされ、これにより、インテリジェント端末は、第２の情報を取得し、オンライン決済を完了させ、それにより、ユーザによりインテリジェント端末を用いることによって実行されるオンライン決済のセキュリティ問題を解決する。
【０１２８】
本発明のこの実施形態において、ウェアラブル電子デバイス７２０は、本発明の実施形態に係るウェアラブル電子デバイス１００に対応し得ることが、理解されるべきである。簡潔さのために、詳細はここでは説明されない。
【０１２９】
任意で、本発明の実施形態において、インテリジェント端末７１０はさらに、無線アクセスモードでウェアラブル電子デバイス７２０と通信接続を確立し、サービス要求命令をウェアラブル電子デバイス７２０へ送信するよう構成されてよく、ここで、サービス要求命令は、第２のオペレーティングシステムによりサポートされる第１のアプリケーションを実行することを決定するように、ウェアラブル電子デバイス７２０に命令するために用いられ、ウェアラブル電子デバイス７２０はさらに、インテリジェント端末７１０により送信されたサービス要求命令を受信し、サービス要求命令に従って、第２のオペレーティングシステムによりサポートされる第１のアプリケーションを実行することを決定し、第１のアプリケーションが既に実行されていることを示す応答メッセージを、インテリジェント端末７１０へ送信するよう構成される。
【０１３０】
任意で、本発明の別の実施形態において、ウェアラブル電子デバイス７２０はさらに、ユーザにより入力された第２の操作命令を受信し、第２の操作命令に従って、第１の情報が正確であることを決定するよう構成され、ここで、第２の操作命令は、第１の情報が正確であることを示すために用いられる。
【０１３１】
本発明のこの実施形態において、第１の操作命令および第２の操作命令は、音声命令、指紋命令、またはキーボード命令のうちの任意の一種であることが、理解されるべきである。本発明のこの実施形態は、これらに限定されない。
【０１３２】
当業者は、本明細書に開示されている実施形態において説明される例との組み合わせで、ユニットおよびアルゴリズム段階が、電子ハードウェア、コンピュータソフトウェア、またはこれらの組み合わせにより、実装されてよいことを認識し得る。ハードウェアとソフトウェアとの間の互換性を明確に説明するために、先述は概して、機能に従って各例の構成および段階を説明している。機能がハードウェアによりまたはソフトウェアにより実行されるかは、特定の用途、および技術的解決手段の設計上の制約条件に依存する。当業者は、異なる方法を用いて、各特定の用途のための説明されている機能を実装してよいが、実装方式は、本発明の範囲を超えるものとみなされるべきではない。
【０１３３】
簡便および簡潔な説明の目的のために、先述のシステム、装置、およびユニットの詳細な動作処理について、先述の方法の実施形態において対応する処理を参照し得ることが、当業者により明確に理解され得て、詳細は、ここで説明されない。
【０１３４】
本出願において提供されているいくつかの実施形態において、開示されているシステム、装置、および方法は、他の方式で実装されてよいことが、理解されるべきである。例えば、説明されている装置の実施形態は一例に過ぎない。例えば、ユニットの区分は、論理機能の区分に過ぎず、実際の実装方式における他の区分であってよい。例えば、複数のユニットまたは構成要素は、組み合わせられ、または別のシステム内に統合されてよく、もしくは、いくつかの機能は、無視されてよく、または実行されなくてよい。加えて、表示されまたは議論されている相互連結または直接連結もしくは通信接続は、いくつかのインタフェースを介して実装されてよい。装置間またはユニット間の間接連結または通信接続は、電子的な形態、機械的な形態、または他の形態で実装されてよい。
【０１３５】
別個の部分として説明されているユニットは、物理的に別個であってよく、またはそうでなくてよく、ユニットとして表示されている部分は、物理ユニットであってよく、またはそうでなくてよく、１つの場所に位置してよく、または、複数のネットワークユニット上に分配されてよい。ユニットの一部または全ては、本発明の実施形態の解決手段の目的を達成するように、実際の需要に応じて選択されてよい。
【０１３６】
加えて、本発明の実施形態における機能ユニットは、１つの処理ユニット内に統合されてよく、または、ユニットのそれぞれは、物理的に単独で存在してよく、もしくは、２つまたはそれより多くのユニットが、１つのユニット内に統合される。該統合されたユニットは、ハードウェアの形態で実装されてよく、または、ソフトウェア機能ユニットの形態で実装されてよい。
【０１３７】
該統合されたユニットがソフトウェア機能ユニットの形態で実装され、独立した製品として販売されまたは用いられる場合、該統合されたユニットは、コンピュータ可読記憶媒体に記憶されてよい。そのような理解に基づき、本発明の本質的に技術的解決手段、または従来技術に寄与する部分、もしくは、技術的解決手段の全てまたは一部は、ソフトウェア製品の形態で実装されてよい。ソフトウェア製品は、記憶媒体に記憶され、（パーソナルコンピュータ、サーバ、またはネットワークデバイスであり得る）コンピュータデバイスに命令するためのいくつかの命令を含み、本発明の実施形態において説明されている方法の段階の全てまたは一部を実行する。先述の記憶媒体は、ＵＳＢフラッシュドライブ、リムーバブルハードディスク、リードオンリメモリ（ＲＯＭ，Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスク等の、プログラムコードを記憶できる任意の媒体を含む。
【０１３８】
先述の説明は、具体的な本発明の実施形態に過ぎず、本発明の保護範囲を限定することを意図するものではない。本発明に開示されている技術的範囲内において当業者により容易に想到される任意の変更または置換は、本発明の保護範囲内に含まれるものとする。従って、本発明の保護範囲は、特許請求の範囲の保護範囲にしたがうものとする。
【図１】
0006552714.tif 000002
【図２】
0006552714.tif 000003
【図３】
0006552714.tif 000004
【図４】
0006552714.tif 000005
【図５】
0006552714.tif 000006
【図６】
0006552714.tif 000007
【図７】
0006552714.tif 000008